(57)【要約】  本発明は、分析用試験テープ（１２）、未使用の試験テープ（１２）を繰り出すための供給スプール（１４）並びに使用済み試験テープ（１２）を巻き取るための巻取りスプール（１６）、ハウジング（２２）、および少なくとも試験テープ（１２）の意図しない巻戻しを防止するための、巻取りスプール（１６）の回転止め（２４）を有し、回転止め（２４）は、ハウジング（２２）と巻取りスプール（１６）の両方に設けられた回転止め歯（２６、２８）を有し、該歯は、巻取りスプール（１６）の軸方向の動きにより相互の噛合い位置と解放位置の間において移動することができるカセット式診断テープに関する。
2010501840.tif 000002
【特許請求の範囲】
【請求項１】
特に血糖検査用のカセット式診断テープにおいて、
分析用試験テープ（１２）と、未使用の試験テープ（１２）を繰り出すための供給スプール（１４）並びに使用済み試験テープ（１２）を巻き取るための巻取りスプール（１６）と、前記スプール（１４、１６）用のハウジング（２２）と、少なくとも前記試験テープ（１２）の意図しない巻戻しを防止するための、前記巻取りスプール（１６）の回転止め（２４）とを有し、
前記回転止め（２４）は、前記ハウジング（２２）および前記巻取りスプール（１６）の両方の対向面（４４、５０）に設けられた回転止め歯（２６、２８）を有し、前記歯は、前記巻取りスプール（１６）の軸方向の動きにより相互の噛合い位置と解放位置の間において移動できることを特徴とするカセット式テープ。
【請求項２】
前記回転止め歯（２６、２８）は、前記カセット式テープ（１０）が装置とは別に操作されているときは前記噛合い位置にあることを特徴とする請求項１記載のカセット式テープ。
【請求項３】
前記回転止め歯（２６、２８）は、前記カセット式テープ（１０）が、好ましくは前記装置の駆動軸（６６）を前記巻取りスプール（１６）に挿入して用いられるときには、前記噛合い位置から前記解放位置に移動できることを特徴とする請求項１または２記載のカセット式テープ。
【請求項４】
前記巻取りスプール（１６）は、前記解放位置にあるときには両回転方向に自由に回転可能であり、また、前記噛合い位置にあるときにはいずれの回転方向にも回転しないよう前記巻取りスプール（１６）をロックできることを特徴とする請求項１〜３のいずれか１項に記載のカセット式テープ。
【請求項５】
前記巻取りスプール（１６）は、前記回転止め歯（２８）としての歯を前面に備える歯付き円板（３２）を有することを特徴とする請求項１〜４のいずれか１項に記載のカセット式テープ。
【請求項６】
前記歯付き円板（３２）は前記試験テープ（１２）を巻き取ることができる円筒形のスプール本体（３４）のカラーに形成されており、前記回転止め歯（２８）は前記試験テープ（１２）からそれていることを特徴とする請求項１〜５のいずれか１項に記載のカセット式テープ。
【請求項７】
前記巻取りスプール（１６）は、伸縮バネ（５６）により前記ハウジング（２２）に対してスプール軸（３０）方向に押圧されていることを特徴とする請求項１〜６のいずれか１項に記載のカセット式テープ。
【請求項８】
前記伸縮バネ（５６）は、前記ハウジング（２２）の壁（５８）に板バネまたは渦巻バネとして形成されており、また、環状空間（６４）が、前記試験テープ（１２）のために前記壁（５８）と前記回転止め歯（２６、２８）の間に設けられていることを特徴とする請求項１〜７のいずれか１項に記載のカセット式テープ。
【請求項９】
前記ハウジング（２２）は、前記回転止め歯（２６）としての歯付きリング状フランジ（４０）を有することを特徴とする請求項１〜８のいずれか１項に記載のカセット式テープ。
【請求項１０】
前記ハウジングの前記回転止め歯（２６）は、巻き取られる前記試験テープ（１２）の最後の方向転換点（４２）とは反対側のリング部（４４）に形成されており、また、リングのその他の部分（４６）は、歯を有していないことを特徴とする請求項１〜９のいずれか１項に記載のカセット式テープ。
【請求項１１】
前記回転止め歯（２６、２８）の歯は非対称の歯面を有しており、前記巻取りスプール（１６）を巻き戻すとき前記噛合い位置において互いに当接する前記歯面（５２、５４）は、急な傾斜を有することを特徴とする請求項１〜１０のいずれか１項に記載のカセット式テープ。
【請求項１２】
前記巻取りスプール（１６）は、物理的な回転軸を備えない前記ハウジング（２２）の区画（６２）に挿着されていることを特徴とする請求項１〜１１のいずれか１項に記載のカセット式テープ。
【請求項１３】
前記巻取りスプール（１６）は、いずれの回転位置においても前記ハウジング（２２）の前記回転止め歯（２６）の上に載置できることを特徴とする請求項１〜１２のいずれか１項に記載のカセット式テープ。
【請求項１４】
前記巻取りスプール（１６）は、そのスプール軸（３０）に対して横方向の遊びを有するように前記ハウジング（２２）に遊動装着されていることを特徴とする請求項１〜１３のいずれか１項に記載のカセット式テープ。
【請求項１５】
前記横方向の遊びは、０．２ｍｍを超える、好ましくは０．３〜０．６ｍｍであることを特徴とする請求項１４記載のカセット式テープ。
【請求項１６】
前記巻取りスプール（１６）は、前記回転止め歯（２６、２８）が少なくとも前記噛合い位置にあるとき、横方向の遊びを持って前記ハウジングの前記開口（４８）に挿着される環状の延長部（３８）を有することを特徴とする請求項１〜１５のいずれか１項に記載のカセット式テープ。
【請求項１７】
特に血糖検査用のカセット式診断テープにおいて、
分析用試験テープ（１２）と、未使用の試験テープ（１２）を繰り出すための供給スプール（１４）並びに使用済み試験テープ（１２）を巻き取るための巻取りスプール（１６）と、前記スプール（１４、１６）用のハウジング（２２）と、少なくとも前記試験テープ（１２）の意図しない巻戻しを防止するための、前記巻取りスプール（１６）の回転止め（２４）とを有し、
前記回転止め（２４）は、前記巻取りスプール（１６）が解放位置から軸方向に移動したとき、前記巻取りスプール（１６）の対向接触面（５０）と摩擦係合させられる、ハウジング面（４０）に取り付けられた摩擦要素（１０４）を有することを特徴とするカセット式テープ。
【請求項１８】
前記摩擦要素（１０４）は、前記巻取りスプールと同軸に配置された摩擦リングにより構成されていることを特徴とする請求項１７記載のカセット式テープ。
【請求項１９】
前記摩擦要素（１０４）は、エラストマ材、好ましくはＴＰＥにより構成されていることを特徴とする請求項１７または１８記載のカセット式テープ。
【請求項２０】
前記摩擦要素（１０４）は、射出成形により好ましくは前記ハウジング面上に形成されていることを特徴とする請求項１７〜１９のいずれか１項に記載のカセット式テープ。
【請求項２１】
前記ハウジング面は、開口（４８）が画成されたリング状フランジ（４０）に形成されているとともに、前記摩擦要素（１０４）は、前記リング状フランジの周囲に、好ましくは前記開口（４８）の縁領域に配置されていることを特徴とする請求項１７〜２０のいずれか１項に記載のカセット式テープ。
【請求項２２】
前記接触面（５０）は、前記試験テープ（１２）を巻き取ることができる円筒形のスプール本体（３４）のカラーに形成されていることを特徴とする請求項１７〜２１のいずれか１項に記載のカセット式テープ。
【請求項２３】
前記巻取りスプール（１６）は、伸縮バネ（５６）の復元力により摩擦係合が生じるよう、前記伸縮バネにより前記ハウジング（２２）に対してスプール軸（３０）方向に押圧されていることを特徴とする請求項１７〜２２のいずれか１項に記載のカセット式テープ。
【請求項２４】
特に血糖検査用のカセット式診断テープにおいて、
分析用試験テープ（１２）と、未使用の試験テープ（１２）を繰り出すための供給スプール（１４）並びに使用済み試験テープ（１２）を巻き取るための巻取りスプール（１６）と、前記スプール（１４、１６）用のハウジング（２２）と、前記巻取りスプール（１６）の回転止め（２４）とを有し、
前記回転止め（２４）は、前記ハウジング（２２）に取り付けられ、前記巻取りスプール（１６）に向けて軸方向に付勢されている回転止めバネ（５６）を有するとともに、少なくとも１つのバネ式ラッチ（９４）を介して前記巻取りスプール（１６）の前面に配置されたフリーホイール歯（９６）と常時噛み合うことにより、巻き取られたテープの巻戻しを阻止できることを特徴とするカセット式テープ。
【請求項２５】
前記回転止めバネ（５６）は、同軸のリング形状体または渦巻バネとして好ましくは前記ハウジング（２２）の壁（５８）に形成されており、また、前記壁（５８）から突出している、前記回転止めバネの内側要素は、少なくとも１つのバネ式ラッチ（９４）を担持していることを特徴とする請求項２４記載のカセット式テープ。
【請求項２６】
前記バネ式ラッチ（９４）は、前記フリーホイール歯（９６）の回転止め位置を再分割するために複数のラッチとして構成され、前記フリーホイール歯（９６）の歯ピッチ上を変位したラッチの各々が、回転止めを実行できるようになっていることを特徴とする請求項２４または２５記載のカセット式テープ。
【請求項２７】
前記フリーホイール歯（９６）は、前記回転止めバネ（５６）に対向する、前記巻取りスプール（１６）のスプール本体（３４）の端壁に形成されており、また、前記スプール本体（３４）は、環状カラー（１０２）と好ましくは回転止め歯（２６、２８）により前記ハウジング（２２）に支持されていることを特徴とする請求項２４〜２６のいずれか１項に記載のカセット式テープ。
【請求項２８】
前記フリーホイール歯（９６）は、非対称の歯形状を有する冠歯車により構成されており、緩い傾斜の歯面（９８）が、巻取り方向への回転時の前記バネ式ラッチ（９４）の摺動用傾斜面を構成し、また、急な傾斜の歯面（１００）が、巻き戻し方向への回転時に形状嵌合形態で前記バネ式ラッチ（９４）を阻止することを特徴とする請求項２４〜２７のいずれか１項に記載のカセット式テープ。
【請求項２９】
前記フリーホイール歯（９６）の歯は、その幅方向で低くなる歯高を有することにより、前記バネ式ラッチ（９４）に当接する時間を短くできるようになっていることを特徴とする請求項２４〜２８のいずれか１項に記載のカセット式テープ。
【請求項３０】
試験装置、およびそれに挿着された、特に血糖検査用のカセット式診断テープ（１０）を有する試験システムにおいて、
前記カセット式テープ（１０）は、分析用試験テープ（１２）と、未使用の試験テープ（１２）を繰り出すための供給スプール（１４）並びに使用済み試験テープ（１２）を巻き取るための巻取りスプール（１６）と、前記スプール（１４、１６）用のハウジング（２２）と、前記試験テープ（１２）の少なくとも意図しない巻戻しを防止するための、前記巻取りスプール（１６）の回転止め（２４）とを有する請求項１、１７または２４のいずれか１項に記載のカセット式テープである試験システム。
【請求項３１】
前記カセット式テープ（１０）が挿着されたとき、前記試験装置の駆動軸（６６）が前記巻取りスプール（１６）に連結することを特徴とする請求項３０記載の試験装置。
【請求項３２】
前記巻取りスプールが伸縮バネに抗して軸方向に移動したとき、前記駆動軸は、前記回転止め歯（２６、２８）を持ち上げて外すまたは前記摩擦要素（１０４）の摩擦連結を解除して解放位置に移動させることを特徴とする請求項３１記載の試験装置。
【請求項３３】
前記駆動軸（６６）は、バネ（８４）により回転軸方向に調節可能であるとともに、前記バネを変位させることにより前記巻取りスプール（１６）に連結できることを特徴とする請求項３１または３２記載の試験装置。
【請求項３４】
前記巻取りスプール（１６）の駆動穴（６７）内の前記駆動軸（６６）は、少なくとも１つの駆動部（６８）により回転運動を伝達することを特徴とする請求項３１〜３３のいずれか１項に記載の試験装置。
【発明の詳細な説明】
【技術分野】
【０００１】
本発明は、分析用試験テープ、未使用の試験テープを繰り出すための供給スプールと使用済み試験テープを巻き取るための巻取りスプール、スプール用のハウジング、および少なくとも試験テープが意図せずに繰り出されることを防止するための、巻取りスプールの回転止めを有する特に血糖検査用のカセット式診断テープに関する。
【背景技術】
【０００２】
糖尿病患者が自己診断を実施する際には、これまで個別の試験片が用いられてきたが、試験片は、少量の試料を塗布した後に、試料（血液または組織液）のグルコース濃度を可能な限り正確に測定し、また、信頼性を高くするために測光分析が行われる。ユーザの使い勝手を向上させるために、複数の検査をカセット式テープ形態の試験テープ上で実施することが既に提案されている。必要とされる分析の全ての工程を自動的かつ迅速に実施できるようにするために、そのようなカセット式テープを、使い捨て部品として小型の携帯装置に挿着することは可能であろう。
【０００３】
これに関連して、血液で汚染された使用済みテープが意図せずに繰り出されることを防止するために、テープの巻戻し防止用逆転止めが、本願の優先日において依然未公開の当出願人の独国特許第１０２００５０１３６８５号明細書に開示されている。この文献において、フリーホイール状の回転止めは、試験テープの巻取りは可能にするが、逆回転方向への巻戻しは確実に阻止する。この場合、使い捨て部品としてのカセット式診断テープは、大量生産品であるために、可能な限り簡単に製造できるとともに、ユーザにとって動作の信頼性が高く、使い勝手が優れている必要があることは留意に値する。
【発明の概要】
【０００４】
このために、本発明の目的は、先行技術において提案されている試験テープ・システムをさらに改良し、また、その使用についての特定の利点を達成するとともに、製造をより簡単にすることである。
【０００５】
独立形式請求項に記載された特徴の組合せが、この目的を達成するものであると提案されている。本発明の有利な実施の形態とさらなる発展例は、従属形式請求項から導出される。
【０００６】
本発明の第１の概念は、回転方向によって制御される回転止めに替えて、自動切替機構を採用するというアイデアに基づいている。したがって、回転止めは、ハウジングと巻取りスプール両方の対向面に設けられた回転止め歯を備えることが提案されており、該歯は、相互の噛合い位置と解放位置の間で、巻取りスプールのスプール軸に沿う軸方向移動を行なう。これにより、必要に応じて回転止め動作を実行するまたは超越させることが可能になる。噛合い位置にあるとき、使用済み試験テープは、ユーザの操作による自由なアクセスが確実に阻止できるようになっている。解放位置にあるとき、耳障りな雑音が完全に無くされているとともに、携帯装置に用いるにはエネルギー供給の観点からも有利である、追加的な駆動トルクが必要ない。さらに、提案された解決策は、コイル状に巻き取られた試験テープの径とは独立して実施でき、また、回転止めは、複雑なフリーホイール機構を用いることなく数少ない部品によって作製することができる。同時に、機能部品がカセットの大きさの決定時に重要ではないために、全体の大きさを小さくすることができる。
【０００７】
回転止め歯は、カセット式テープが装置とは別に操作されているときは噛合い位置にあることが好ましく、また、カセット式テープが好ましくは装置の駆動軸を巻取りスプールに挿入して用いられるときには解放位置にあることが好ましい。
【０００８】
また、回転止め歯の軸方向の移動は、解放位置にあるときには巻取りスプールを両回転方向に自由に回転させ、噛合い位置にあるときにはいずれの回転方向にも回転しないよう巻取りスプールをロックすることを可能にする。
【０００９】
とりわけ有利な構成の実施形態は、巻取りスプールが、回転止め歯としての歯を前面に備える歯付き円板を有するようになっており、歯付き円板は、試験テープを巻き取ることができる円筒形のスプール本体のカラーに形成してもよい。
【００１０】
自動的な移動機能を持たせるために、巻取りスプールは、伸縮バネによりハウジングに対してスプール軸方向に押圧されている方が有利である。これに関連して、伸縮バネは、ハウジングの壁に板バネまたは渦巻バネとして形成されており、また、環状空間が、試験テープのために壁と回転止め歯の間に設けられている方が有利である。
【００１１】
ハウジングは、回転止め歯としての歯付きリング状フランジを有することが好ましい。
【００１２】
テープに大きい張力が加わり軸方向に傾いたとき回転止め動作が意図に反して生じないようにするために、ハウジングの回転止め歯は、巻き取られる試験テープの最後の方向転換点とは反対側のリング部に形成されており、また、リングのその他の部分は、歯を有していない方が有利である。
【００１３】
回転止め方向に好適な改良形状は、回転止め歯の歯が非対称の歯面を有しており、巻取りスプールを逆転させるとき噛合い位置において互いに当接する歯面は、急な傾斜を有するという事実により実現可能である。
【００１４】
製造を容易にするために、巻取りスプールは、物理的な回転軸を備えないハウジングの区画に挿着する方が有利である。組立体は、また、巻取りスプールをいずれの回転位置においてもハウジングの回転止め歯の上に載置できるようにすることにより簡素化が可能である。
【００１５】
とりわけ回転駆動装置を別々に装着するときの公差を補正するために、巻取りスプールは、そのスプール軸に対して横方向の遊びを有するようにハウジングに遊動装着する方が有利である。この場合、横方向の遊びは、間違いなく０．２ｍｍより大きくする、好ましくは０．３〜０．６ｍｍにすることが必要である。有利な実施形態において、巻取りスプールは、回転止め歯が少なくとも噛合い位置にあるとき、横方向の遊びを持ってハウジングの開口に挿着される環状の延長部を有する。
【００１６】
第２の独創的な概念によると、回転止めは、巻取りスプールが解放位置から軸方向に移動したとき、巻取りスプールの対向接触面と摩擦係合させられる、ハウジング面に取り付けられた摩擦要素を有する。これにより、いずれの回転位置においても、また、回転の方向とは無関係に動作する回転止め機能を、簡単な製造方法により実現することができる。
【００１７】
摩擦要素は、巻取りスプールと同軸に配置された摩擦リングにより構成する方が有利であり、エラストマ材、好ましくはＴＰＥにより構成してもよく、さらに、射出成形によりハウジング面上に形成することが好ましい。
【００１８】
別の改良は、ハウジング面を、開口が画成されているリング状フランジに形成するとともに、摩擦要素を、リング状フランジの周囲に、好ましくは開口の縁領域に配置することにより実現できる。また、接触面は、試験テープを巻き取ることができる円筒形のスプール本体のカラーに形成する方が有利である。この場合、摩擦力は、スプール本体に巻き取られたテープのその時点における径とは無関係である。
【００１９】
カセットを使用していないときに摩擦係合が自動で確実に行われるようにするため、巻取りスプールは、伸縮バネの復元力により摩擦係合が生じるよう、伸縮バネによりハウジングに対してスプール軸方向に押圧されている方が有利である。
【００２０】
別の独創的な概念は、回転止めがハウジングに取り付けられ、巻取りスプールに向けて軸方向に付勢されている回転止めバネを有することであり、回転止めバネは、巻取りスプールの前面に配置されたフリーホイール歯と常時噛み合うことにより、巻き取られたテープの巻戻しを阻止する。このことは、操作に対する防護機能を高めるだけでなく、たとえば衝撃のために巻き取ったテープが意図せずに巻き戻されることを常時防止することにより、テープをセンサに対して決められた位置に配置しておくことを可能にする。
【００２１】
回転止めバネは、好ましくは同軸のリング形状体または渦巻バネとしてハウジングの壁に形成されている方が有利であり、また、壁から突出している、回転止めバネの内側要素は、少なくとも１つのラッチを担持している。
【００２２】
所与の歯数のもとでの後退運動時に生じる角度を最小にするために、バネ式ラッチは、フリーホイール歯の回転止め位置を再分割するために複数のラッチとして構成され、フリーホイール歯の歯ピッチ上を変位したラッチの各々が、回転止めを実行できるようになっている方が有利である。
【００２３】
とりわけ有利な構成は、フリーホイール歯が、回転止めバネに対向する、巻取りスプールのスプール本体の端壁に形成されており、また、スプール本体が、環状カラーと好ましくは回転止め歯によりハウジングに支持されるようになっている。
【００２４】
回転方向によって決まる回転止め動作が起きるようにするために、フリーホイール歯は、非対称の歯形状を有する冠歯車により構成されている方が有利であり、緩い傾斜の歯面が、巻取り方向への回転時のバネ式ラッチの摺動用傾斜面を構成し、また、急な傾斜の歯面が、巻き戻し方向への回転時に形状嵌合形態でバネ式ラッチを支持する。
【００２５】
摩擦を最小にするために、フリーホイール歯の歯は、その幅方向で低くなる歯高を有することにより、バネ式ラッチに当接する時間を短くできるようになっている方が有利である。
【００２６】
本発明は、また、試験装置、およびそれに挿着された、特に血糖検査用のカセット式診断テープを有する試験システムに関し、カセット式テープは、分析用試験テープ、未使用の試験テープを繰り出すための供給スプール並びに使用済み試験テープを巻き取るための巻取りスプール、スプール用のハウジング、および少なくとも試験テープの意図しない巻戻しを防止するための、巻取りスプールの回転止めを有する。
【００２７】
そのようなシステムにおいては、試験装置の駆動軸が、カセット式テープが挿着されたとき巻取りスプールに連結することにより、回転止め歯を持ち上げて外すまたは摩擦要素の摩擦連結を解除して解放位置に移動させるようになっている方がとりわけ有利である。別の改良は、駆動軸をバネにより駆動軸方向に調節可能にするとともに、バネを変位させることにより巻取りスプールに連結できるようにすることによって得られる。この場合、巻取りスプールの駆動穴内の駆動軸は、少なくとも１つの駆動部により回転運動を伝達する。
【００２８】
以下、図面に模式的に示した例示としての実施形態に基づき、本発明についてさらに説明する。
【図面の簡単な説明】
【００２９】
【図１】試験テープの巻戻し止めを有する、血糖検査用カセット式テープの斜視図である。
【図２】回転止め歯を備える、カセット式テープの巻取りスプールの拡大斜視図である。
【図３】対向する歯を備える、カセット式テープのリング状フランジの上面図である。
【図４】回転止め歯が噛合い位置にあるときの、巻取りスプールとリング状フランジの軸方向断面図である。
【図５】回転止め歯が解放位置にあるときの、巻取りスプールとリング状フランジの軸方向断面図である。
【図６】カセット式テープの格納部を備える携帯測定装置の斜視図である。
【図７】図６に示した装置の駆動軸の側面図である。
【図８】カセット式テープの別の実施形態において、その上に回転止めバネが形成されているハウジング・カバーである。
【図９】前面にフリーホイール歯が形成されている巻取りスプールの側面図である。
【図１０】巻取りループを常時ロックしておくための、図９に示したフリーホイール歯と噛み合わされた図８に示した回転止めバネの部分斜視図である。
【図１１】巻取りスプールの別の実施形態の斜視図である。
【図１２】図１１に示した巻取りスプールと摩擦係合する摩擦リングをハウジングに有するカセット式テープの別の実施形態の斜視図である。
【図１３】図１１に示した巻取りスプールと摩擦係合する摩擦リングをハウジングに有するカセット式テープの別の実施形態の斜視図である。
【発明を実施するための形態】
【００３０】
図１に示したカバーが取り外されているカセット式テープは、患者自身が採取した血液試料を用いて、手元で複数のグルコース分析を実施できるようにする。このために、カセット式テープ１０は、供給スプール１４から引き出して巻取りスプール１６に巻き取ることができる分析用試験テープ１２を有し、この巻取り時に、検査領域１８は、体液（血液または組織液）を前側に塗布し、また、後側で反射率測定を実施できるようにするために、塗布先端２０において方向変換させられる。試験テープ１２の一部に形成された試験領域１８は、塗布された血液中の被分析物（グルコース）に反応して、後側に光が照射されたとき反射光に測定可能な変化を起こさせる乾燥薬剤を含有する。
【００３１】
試験テープ１２が巻かれたスプール１４、１６はカセット１０のハウジング２２に挿着され、カバーの装着時には、ハウジングの塗布先端２０だけが自由にアクセス可能である。外側からの操作時に血液で汚染された使用済み試験テープが意図に反して巻き戻されることを防止するために、回転止め２４が、巻取りスプール１６とハウジング２２の間に設けられている。該止めは、ハウジング２２と巻取りスプール１６に形成されており、巻取りスプールの、相互の噛合い位置と解放位置の間におけるスプール軸３０に沿う軸方向の動きにより移動させることができる回転止め歯２６、２８により構成されている。
【００３２】
図２が最も判りやすいが、巻取りスプール１６は、冠歯車状の回転止め歯２８を担持する、前側に歯が形成された歯付き円板３２を有する。歯付き円板３２は、試験テープ１２を巻き取ることができる中空で円筒形のスプール本体３４のカラーにより構成されており、回転止め歯２８は、巻かれた試験テープ３６（図１）とは反対の方向を向いている。巻取りスプール１６は、歯が形成されている側に、対向する歯２６に遊動心立てを行なうための環状の延長部３８を有する。
【００３３】
図３に示されているように、ハウジング２２は、ハウジング側の回転止め歯２６を担持するリング状フランジ４０を有する。該歯は、巻き取られる試験テープ１２の方向変換点４２の反対側に位置するとともに、テープの送り方向において終点であるリング部４４に形成されており、リングのその他の部分４６は、巻取りスプール１６によりテープに強い張力が加えられたためにそれが傾いたとき、意図に反して固定されることを回避するために歯を有してはいない。リング状フランジ４０は、巻取りスプール１６の環状延長部３８が回転できるよう横方向の遊び４９を持って挿着されるハウジング開口４８を画成する。横方向の遊び４９は、ハウジング開口４８の円周が環状延長部３８より約０．５ｍｍ大きい径を有するようにすることによって得られる。回転止め歯２６、２８は、それらの半径方向の延長部により巻取りスプール１６に付随する横方向の偏位を補正することができるために、位置決め公差を補正することが可能である。
【００３４】
このために、回転止め歯２６、２８は、巻取りスプール１６をいずれの回転位置にあってもリング状フランジ４０に載置することができるよう対向面４４、５０にリング状に形成されている。逆回転に対する回転止め動作を向上させるために、回転止め歯２６、２８の歯は、巻取りスプール１６が反対方向に回転させられたとき噛合い位置において互いに当接する歯面５２、５４が反対側の歯面５２、５４より傾斜が急である非対称の歯面を有する。
【００３５】
回転止め２４の移動機能は、図４と図５が最も判りやすい。カセット式テープ１０が保管または装置とは別に取り扱われているとき、回転止め歯２６、２８は、両方向の回転を形状嵌合（図４）により止めることができるよう互いに噛み合っている。このことは、ハウジング２２のカバー５８とスプール本体３４の閉じた前面６０の間に挟持されていて、スプール本体３４をリング状フランジ４０に押圧している伸縮バネ５６により確実に実施される。伸縮バネ５６は、カバー５８上に渦巻バネとして形成してもよい。さらに、巻取りスプール１６は、物理的な枢動軸が必要なく、また、カバー５８と回転止め２４の間の環状空間６４が試験テープ１２を受承するために空けられているハウジング区画６２に挿着することができる。
【００３６】
カセット式テープ１０を使用するとき、図５には模式的にしか示されていないが、機器駆動装置の駆動軸６６が、スプール本体３４の中央駆動穴６７に軸方向に挿着され、次いで、スプール本体３４はバネ５６により押圧された状態で解放位置に持ち上げられる。これにより、回転止め歯２６、２８の噛合いが解除されるために、巻取りスプール１６は、自由に回転することが可能になる。また、駆動軸６６は、任意で巻戻し方向の回転止め機能が設けられていてもよく、この場合、図示例において時計回りに回されたとき、試験テープは、回転方向において分割されている３つの駆動部６８により巻取りが可能になる。回転止め歯２６、２８の間には隙間があるために、耳障りな雑音が無くなるとともに、好ましくない制動トルクの発生を阻止することができる。
【００３７】
図６は、カセット式テープ１０を挿着することができる格納部７２を備え、測定をこのようにして形成された測定システムを用いて殆ど自動的に実施できるようにする携帯装置７０を示す。機器７６の光学測定システムは、格納部７２内に位置する塗布先端２０に対応して配置されている。この場合、上述した巻取りスプール１６の横方向の遊びが、駆動部ハウジングに特別に装着される駆動軸６６の組立・位置決め公差の補正をできるようにする。
【００３８】
図７に個別に示した駆動軸６６は、格納部７２の底を貫通し、歯車装置を介して装置７０の駆動モータ（図示せず）に連結される駆動ピン７８を有する。支持円板８０がピン７８の上端に取り付けられており、円板の上には、連結ヘッド８２が、圧縮コイルバネ８４により支持され、ピン７８に対して軸方向に移動できるようになっている。カセット１０が格納部７２に挿着されたとき、連結ヘッド８２は、巻取りスプール１６の駆動穴６７に突入し、その周縁のカム８６が、トルクの伝達ができるようバネ８４により付勢されて駆動部６８と形状嵌合する。
【００３９】
以下に説明する実施形態において、同一の構成要素に対しては上述と同じ参照番号を用いる。図８〜図１０による例は、巻取りスプール１６のフリーホイール歯と組合わされた回転止めバネ５６がハウジングのカバー５８に設けられていて、テープが意図せずに巻き戻されることがないよう巻取りスプールを常時制御しておくようになっていることが本質的な違いである。これにより、巻き取られたテープの巻戻しを、どのような使用状態においても回避することができる。
【００４０】
図８に示したように、回転止めバネ５６は、２つの同軸リング９０がブリッジにより互いに連結されているリング状構造体として、打ち抜きによりハウジングのシート８８に形成されている。２つのリング部分９２は、内側のリングに形成されており、その各々は、ハウジング内部に向けて屈曲してラッチ９４を構成する一方の端部を有し、他方の端部は、バネ５６の後側を覆うプラスチックの射出成形封止材に保持されている。リング部分９２とリング９０は、挿着された巻取りスプール１６（図１０を参照されたい）の前面６０に当接するために、外向きに湾曲した圧縮バネ構成になるよう軸方向で互いに変位させられている。
【００４１】
図９は、適切に構成された巻取りスプール１６を示し、それは、図２の構成とは異なり前面にフリーホイール歯９６が設けられている。これは、非対称の歯形状を有する冠歯車により構成されており、この場合、緩い傾斜の歯面９８が、巻取り方向に回転させられたときバネ式ラッチ９４の摺動用傾斜面を構成し、また、急な傾斜の歯面１００が、巻戻し方向に回転させられたとき形状嵌合の形態でバネ式ラッチ９４をロックする。
【００４２】
図１０は、回転方向によって決まる、バネ係合の動作を示す。巻取りスプール１６が挿着されたとき、下向きに屈曲しているラッチ９４は、図示した位置において、１つのラッチは急な傾斜の歯面１００に当接し、他方のラッチは緩い傾斜の歯面９８の中央に接触するようバネに付勢されて噛み合う。このように、有効歯ピッチは、回転止め動作が継続して安定的な連結に至るまで、小さい角度の後退をいずれにせよ行うことができるよう半分にされている。摩擦低減のために、環状フリーホイール歯９６の歯は、バネ式ラッチ９４との接触時間が短かくなるよう、その幅方向で小さくなる歯高を有していてもよい。
【００４３】
使用していないとき、回転の両方向において別の回転止め動作をできるようにするために、スプール本体３４のカラー１０２は、その支持側にハウジング・フランジ４０の対向した歯２６と噛み合う円周方向の回転止め歯２８が設けられていてもよい。この回転止め２４は、装置７０に挿着するとき駆動軸６６により解放されるが、方向によって決まる回転止め９４、９６の回転止め動作は，バネの大きい付勢力により保持されるものの、バネ式ラッチの接触角度は小さい。
【００４４】
図１１〜図１３に示した実施形態においては、回転位置と回転方向に依存しない摩擦回転止めが、回転止め歯２６、２８に替えて設けられている。図１１によると、巻取りスプール１６のカラー１０２だけに、この例においてはギヤ状歯が設けられていない。摩擦リング１０４が、摩擦回転止めのためにハウジング２２のリング状フランジ４０の支持面に形成されているが、それは、リング領域の中央（図１２）またはフランジ開口４８を画成する縁の側部（図１３）に配置されている。摩擦リング１０４は、射出成形工程において、ハウジング２２にシールを作製するのと同一の工程において射出成形される熱可塑性エラストマ材（ＴＰＥ）により形成されている。また、この場合、摩擦回転止めは、図４に示したようにハウジング２２に形成された伸縮バネ５６により支持されているが、図５に示したように駆動軸６６が挿入されたとき、巻取りスプール１６はバネの付勢力に抗して持ち上げられるために、摩擦連結が解除される。
【図１】
2010501840.tif 000003
【図２】
2010501840.tif 000004
【図３】
2010501840.tif 000005
【図４】
2010501840.tif 000006
【図５】
2010501840.tif 000007
【図６】
2010501840.tif 000008
【図７】
2010501840.tif 000009
【図８】
2010501840.tif 000010
【図９】
2010501840.tif 000011
【図１０】
2010501840.tif 000012
【図１１】
2010501840.tif 000013
【図１２】
2010501840.tif 000014
【図１３】
2010501840.tif 000015
【国際調査報告】
2010501840.tif 000016
2010501840.tif 000017
2010501840.tif 000018
2010501840.tif 000019
2010501840.tif 000020
2010501840.tif 000021
2010501840.tif 000022
2010501840.tif 000023
2010501840.tif 000024
2010501840.tif 000025